(57)【要約】【課題】壁や塀などの現場塗装に適し、凸部のみを塗装して模様があらわれるようにすることができるようにした塗装装置を提供する。【解決手段】凹凸模様を有する塗装対象面の凸部のみに塗装を施すことが出来るようにする塗装装置１０であって、基体３０に前ローラ４０ａ、後ローラ４０ｂ、中間ローラ４０ｃを回転可能に支持し、前ローラ４０ａと後ローラ４０ｂとに塗装ベルト５０を掛け渡して塗装ロール２０を構成し、塗装ロール２０の表面側を塗装面２１として塗装対象面に接触させて移動可能とし、裏面側を塗料供給面２２とし、塗料供給面２２に供給した塗料を塗装ベルト５０の移動により表面側の塗装面２１に移動させて塗装対象面に付着させるようにした。【選択図】図１
2008264712.tif 000002
【特許請求の範囲】
【請求項１】
凹凸模様を有する塗装対象面の凸部のみに塗装を施すことが出来るようにする塗装装置であって、
基体に前ローラ、後ローラ、中間ローラを回転可能に支持し、該前ローラと後ローラとに塗装ベルトを掛け渡して塗装ロールを構成し、
前記塗装ロールの表面側を塗装面として塗装対象面に接触させて移動可能とし、裏面側を塗料供給面とし、該塗料供給面に供給した塗料を塗装ベルトの移動により表面側の塗装面に移動させて塗装対象面に付着させるようにしたことを特徴とする塗装装置。
【請求項２】
凹凸模様を有する塗装対象面の凸部のみに塗装を施すことが出来るようにする塗装装置であって、
基体に前ローラ、後ローラ、中間ローラを回転可能に支持し、該前ローラと後ローラとに塗装ベルトを掛け渡して塗装ロールを構成し、
前記塗装ロールの表面側を塗装面として塗装対象面に接触させて移動可能とし、裏面側を塗料供給面とし、
前記塗料供給面に塗料を供給する塗料導入管を塗料供給面に近接させて開口させ、
前記塗料供給面に供給した塗料を塗装ベルトの移動により表面側の塗装面に移動させて塗装対象面に付着させるようにしたことを特徴とする塗装装置。
【請求項３】
凹凸模様を有する塗装対象面の凸部のみに塗装を施すことが出来るようにする塗装装置であって、
基体に前ローラ、後ローラ、中間ローラを回転可能に支持し、該前ローラと後ローラとに塗装ベルトを掛け渡して塗装ロールを構成し、
前記塗装ロールの表面側を塗装面として塗装対象面に接触させて移動可能とし、裏面側を塗料供給面とし、
前記基体に支持アームを延設し、該支持アームに沿って前記塗料供給面に塗料を供給する塗料導入管を延ばし、塗料供給面に近接させて開口させ、
前記塗料供給面に供給した塗料を塗装ベルトの移動により表面側の塗装面に移動させて塗装対象面に付着させるようにしたことを特徴とする塗装装置。
【請求項４】
前記支持アームは、基部側には把手が設けられ、前記塗装ロールが姿勢変化可能なよう先端側が前記塗装ロールの基体に連結され、該支持アームと該基体との間に姿勢調節バーを架設したことを特徴とする請求項３に記載の塗装装置。
【請求項５】
前記塗料導入管には空気圧により塗料を移送するようにし、移送路の途中に調節バルブを設けたことを特徴とする請求項２または３に記載の塗装装置。
【請求項６】
前記塗装ロールの裏面側の塗料供給面を臨んで、該塗料供給面に供給した塗料を調整するための偏心ローラを設けた塗装ベルトの移動により表面側の塗装面に移動させて塗装対象面に付着させるようにしたことを特徴とする請求項１〜４または５に記載の塗装装置。
【発明の詳細な説明】
【技術分野】
【０００１】
本発明は、凹凸模様を有する塗装対象面の凸部のみに塗装を施すことが出来るようにする塗装装置に関する。
【背景技術】
【０００２】
従来の技術としては、例えば特許文献１に示すようなものがある。  
すなわち、特許文献１には、塗工用金属ローラと塗工用フェルトローラとを接触させ、塗工用金属ローラに滴下した塗料を塗工用フェルトローラに含浸させ、その塗工用フェルトローラを間欠的に搬送されてくる板状物品の凹凸のある表面に押圧して塗料を塗布する技術が開示されている。該技術は、塗工用フェルトローラに適量の塗料を供給して板状物品を均一に塗装できるようにしたものである。
【０００３】
【特許文献１】特開２００１−２７６６９４号
【発明の開示】
【発明が解決しようとする課題】
【０００４】
しかしながら、このような従来の技術では、凹凸のある表面のある板状物品を移動させて塗装するものであり、壁等には適用できず、また凹凸の凸部のみを塗装することができないという問題点があった。
【０００５】
本発明は、このような従来の技術が有する問題点に着目してなされたもので、壁や塀などの現場塗装に適し、凸部のみを塗装して模様があらわれるようにすることができるようにした塗装装置を提供することを目的としている。
【課題を解決するための手段】
【０００６】
かかる目的を達成するための本発明の要旨とするところは、次の各項の発明に存する。
［１］  凹凸模様を有する塗装対象面の凸部のみに塗装を施すことが出来るようにする塗装装置（１０）であって、
基体（３０）に前ローラ（４０ａ）、後ローラ（４０ｂ）、中間ローラ（４０ｃ）を回転可能に支持し、該前ローラ（４０ａ）と後ローラ（４０ｂ）とに塗装ベルト（５０）を掛け渡して塗装ロール（２０）を構成し、
前記塗装ロール（２０）の表面側を塗装面（２１）として塗装対象面に接触させて移動可能とし、裏面側を塗料供給面（２２）とし、該塗料供給面（２２）に供給した塗料を塗装ベルト（５０）の移動により表面側の塗装面（２１）に移動させて塗装対象面に付着させるようにしたことを特徴とする塗装装置（１０）。
【０００７】
［２］  凹凸模様を有する塗装対象面の凸部のみに塗装を施すことが出来るようにする塗装装置（１０）であって、
基体（３０）に前ローラ（４０ａ）、後ローラ（４０ｂ）、中間ローラ（４０ｃ）を回転可能に支持し、該前ローラ（４０ａ）と後ローラ（４０ｂ）とに塗装ベルト（５０）を掛け渡して塗装ロール（２０）を構成し、
前記塗装ロール（２０）の表面側を塗装面（２１）として塗装対象面に接触させて移動可能とし、裏面側を塗料供給面（２２）とし、
前記塗料供給面（２２）に塗料を供給する塗料導入管（６０）を塗料供給面（２２）に近接させて開口させ、
前記塗料供給面（２２）に供給した塗料を塗装ベルト（５０）の移動により表面側の塗装面（２１）に移動させて塗装対象面に付着させるようにしたことを特徴とする塗装装置（１０）。
【０００８】
［３］  凹凸模様を有する塗装対象面の凸部のみに塗装を施すことが出来るようにする塗装装置（１０）であって、
基体（３０）に前ローラ（４０ａ）、後ローラ（４０ｂ）、中間ローラ（４０ｃ）を回転可能に支持し、該前ローラ（４０ａ）と後ローラ（４０ｂ）とに塗装ベルト（５０）を掛け渡して塗装ロール（２０）を構成し、
前記塗装ロール（２０）の表面側を塗装面（２１）として塗装対象面に接触させて移動可能とし、裏面側を塗料供給面（２２）とし、
前記基体（３０）に支持アーム（７０）を延設し、該支持アーム（７０）に沿って前記塗料供給面（２２）に塗料を供給する塗料導入管（６０）を延ばし、塗料供給面（２２）に近接させて開口させ、
前記塗料供給面（２２）に供給した塗料を塗装ベルト（５０）の移動により表面側の塗装面（２１）に移動させて塗装対象面に付着させるようにしたことを特徴とする塗装装置（１０）。
【０００９】
［４］  前記支持アーム（７０）は、基部側には把手（７１）が設けられ、前記塗装ロール（２０）が姿勢変化可能なよう先端側が前記塗装ロール（２０）の基体（３０）に連結され、該支持アーム（７０）と該基体（３０）との間に姿勢調節バー（７５）を架設したことを特徴とする項３に記載の塗装装置（１０）。
【００１０】
［５］  前記塗料導入管（６０）には空気圧により塗料を移送するようにし、移送路（１２）の途中に調節バルブ（９０）を設けたことを特徴とする項２または３に記載の塗装装置（１０）。
【００１１】
［６］  前記塗装ロール（２０）の裏面側の塗料供給面（２２）を臨んで、該塗料供給面（２２）に供給した塗料を調整するための偏心ローラ（８０）を設けた塗装ベルト（５０）の移動により表面側の塗装面（２１）に移動させて塗装対象面に付着させるようにしたことを特徴とする項１〜４または５に記載の塗装装置（１０）。
【００１２】
次に作用を説明する。  
本発明に係る塗装装置（１０）は、凹凸模様を有する塗装対象面の凸部のみに塗装を施すことが出来る。塗装ロール（２０）では、基体（３０）の前ローラ（４０ａ）と後ローラ（４０ｂ）とに掛け渡された塗装ベルト（５０）の裏面側の塗料供給面（２２）に塗料が供給され、塗装ロール（２０）の表面側を塗装面（２１）として塗装対象面に接触させる。
【００１３】
そこで、塗装ロール（２０）を移動させると、裏面側の塗料供給面（２２）に供給された塗料が塗装ベルト（５０）の移動により表面側の塗装面（２１）に移動し、塗装ロール（２０）の移動に伴なって塗装対象面に塗料が付着する。中間ローラ（４０ｃ）は塗装面（２１）の塗装ベルト（５０）の浮きを裏側から抑えている。
【００１４】
塗料は、塗料供給面（２２）に近接させて開口している塗料導入管（６０）から塗料供給面（２２）に塗料が連続的に供給される。塗料導入管（６０）は、基体（３０）に延設された支持アーム（７０）に沿って延びて塗料供給面（２２）に塗料を供給する。
【００１５】
塗装ロール（２０）は、姿勢変化可能なよう支持アーム（７０）の先端側が塗装ロール（２０）の基体（３０）に連結されており、塗装ロール（２０）の姿勢を決めた上で支持アーム（７０）と基体（３０）との間に架設された姿勢調節バー（７５）を固定すれば塗装ロール（２０）が適切な姿勢に調節されて固定される。
【００１６】
塗料導入管（６０）には空気圧により塗料が移送され、移送路（１２）の途中に設けられた調節バルブ（９０）により供給量が調節される。
【００１７】
塗装ロール（２０）の裏面側の塗料供給面（２２）を臨んでいる偏心ローラ（８０）を回転させると塗料供給面（２２）に供給した塗料を調整することができ、適切に分散された塗料が塗装ベルト（５０）の移動により表面側の塗装面（２１）に移動して塗装対象面に付着する。塗装面（２１）が塗装対象面に接している部分のみに塗料が付着するので、凹凸のある対象面であれば、凸部のみに塗装が施され、平坦な塗装対象面であれば全面に塗装が施される。
【発明の効果】
【００１８】
本発明にかかる塗装装置によれば、塗装ベルトをローラに掛け渡して塗装ロールとしたので、平面、特に凹凸を有する平面の凸部のみに塗装を施すことが可能になる。空気圧により調節バルブで調節しながら塗料を供給するようにしたので、連続的に塗装をすることができ能率が良い。また姿勢調節バーにより塗装ロールの姿勢を調節できるようにしたので、塗装対象面の状況に応じた姿勢にすることができ、塗装の作業性がよい。
【発明を実施するための最良の形態】
【００１９】
以下、図面に基づき本発明の好適な一実施の形態を説明する。
各図は本発明の一実施の形態を示している。  
塗装装置１０は、凹凸模様を有する塗装対象面の凸部のみに塗装を施すことが出来るようにするものであって、塗装ロール２０が、基体３０に前ローラ４０ａ、後ローラ４０ｂ、中間ローラ４０ｃを回転可能に支持し、前ローラ４０ａと後ローラ４０ｂとに塗装ベルト５０を掛け渡して構成されている。
【００２０】
そして、塗装ロール２０の表面側の塗装ベルト５０の表面を塗装面２１として塗装対象面に接触させて移動可能とし、裏面側を塗料供給面２２とし、塗料供給面２２に供給した塗料を塗装ベルト５０の移動により表面側の塗装面２１に移動させて塗装対象面に付着させるようにしたものであり、塗料供給面２２に塗料を供給する塗料導入管６０が塗料供給面２２に近接して開口されている。
【００２１】
基体３０に支持アーム７０が延設され、支持アーム７０に沿って塗料供給面２２に塗料を供給する塗料導入管６０が延ばされている。支持アーム７０は、基部側には把手７１が設けられ、塗装ロール２０が姿勢変化可能なよう先端側が塗装ロール２０の基体３０に連結され、支持アーム７０と基体３０との間に姿勢調節バー７５が架設されている。塗装ロール２０の姿勢変化に応じられるよう、塗料導入管６０の中間部６９には可撓性を持たせてある。
【００２２】
塗装ロール２０の裏面側の塗料供給面２２を臨んで、塗料供給面２２に供給した塗料を調整するための偏心ローラ８０，８０が設けられている。
【００２３】
塗料導入管６０は、図２でわかるように、塗料タンク１１に連結され、塗料タンク１１内は加圧されていて、その空気圧により塗料を移送するようになっており、塗料導入管６０への移送路１２の途中の把手７１の基部に調節バルブ９０が設けられている。
【００２４】
前ローラ４０ａ、後ローラ４０ｂ、中間ローラ４０ｃは同一の構造であり、図７に示すように、基体３０の側板３１，３１間に掛け渡された支軸４１に枢支されており、枢支板４２，４２にロール筒４３が嵌合して成る。ロール筒４３の表面は塗装ベルト５０が滑らないよう疎面にするとよい。
【００２５】
塗装ベルト５０は、塗装対象面に応じた適切な材質が採用され、例えばナイロン樹脂膜やゴム膜とし、塗料を含みやすいよう表面に植毛するのもよい。塗装対象面の凹凸が深い場合はフェルトなどでもよい。
【００２６】
図８に示すように、塗料導入管６０の先端側は、基体３０の側板３１，３１間に内側ノズル管６１と、内側ノズル管６１に外嵌する外側ノズル管６５とが架設され、内側ノズル管６１の末端は端末キャップ６２で閉じられ、中間部に塗料吐出口６３，６３…が開設されている。外側ノズル管６５には、塗料供給面２２への塗料供給口６６，６６…が開設されている。
【００２７】
図９に示すように、支持アーム７０の先端側はＴ字形になっていて連結軸７２が基体３０の側板３１，３１間に姿勢調節バー７５，７５により回動可能に架設されている。
【００２８】
図１０に示すように、支持アーム７０の把手７１から延ばされた姿勢調節バー７５は、折曲がって先端側で調節支軸７６が基体３０の一方の側板３１を通して他方の側板３１に枢支部材７７を介して回動可能に枢支連結されている。姿勢調節バー７５の基端側は連結軸７１に挿通固定され、必要により挿通量を変えて固定できるようになっている。
【００２９】
図１１に示すように、偏心ローラ８０は、基体３０の側板３１，３１間に掛け渡された支軸８１に枢支されており、支軸８１に偏心筒８２が嵌合して成る。
【００３０】
図１から図３でわかるように、調節バルブ９０は、連結軸７１からの延長部に設けられ、移送路１２の流路を制御する調節レバー９１が設けられている。
【００３１】
次に作用を説明する。  
塗装装置１０は、凹凸模様を有する塗装対象面の凸部のみに塗装を施すことが出来る。塗装ロール２０では、基体３０の前ローラ４０ａと後ローラ４０ｂとに掛け渡された塗装ベルト５０の裏面側の塗料供給面２２に塗料が供給され、塗装ロール２０の表面側を塗装面２１として図１２（ａ）に示すように塗装対象面Ｏ１に接触させる。
【００３２】
そこで、塗装ロール２０を移動させると、前ローラ４０ａと後ローラ４０ｂとの間で塗装ベルト５０が移動し、裏面側の塗料供給面２２に供給された塗料が塗装ベルト５０の移動により表面側の塗装面２１に移動し、塗装ロール２０の移動に伴なって塗装対象面Ｏ１に塗料が付着する。中間ローラ４０ｃは塗装面２１の塗装ベルト５０の浮きを裏側から抑えている。
【００３３】
塗料導入管６０は、基体３０に延設された支持アーム７０に沿って延びて塗料供給面２２に塗料を供給する。塗料は、塗料供給面２２に近接させて開口している塗料導入管６０から塗料供給面２２に連続的に供給される。
【００３４】
すなわち、塗料は塗料タンク１１から空気圧により押し出されて移送され、移送路１２を通り、調節バルブ９０から中間部６９を通って塗料導入管６０の先端部に達する。先端部では、内側ノズル管６１の塗料吐出口６３，６３…から塗料が外側ノズル管６５との間に吐出され、外側ノズル管６５の塗料供給口６６，６６…から塗料供給面２２に塗料が供給される。塗料の供給量は、移送路１２の途中に設けられた調節バルブ９０の調節レバー９１を操作することにより調節される。
【００３５】
塗装ロール２０は、前ローラ４０ａ側と後ローラ４０ｂ側とで角度的に姿勢変化可能なよう支持アーム７０の先端側が塗装ロール２０の基体３０に連結されているので、支持アーム７０と基体３０との間に架設された姿勢調節バー７５を把手７１に対して移動させると、塗装ロール２０の基体３０が連結軸７２を中心にして傾動する。
【００３６】
塗装ロール２０の姿勢を決めた上で姿勢調節バー７５を固定すれば塗装ロール２０が適切な姿勢に調節されて固定される。塗装ロール２０の変位に対し、塗料導入管６０も変位するがその変位は中間部６９で吸収される。
【００３７】
塗装ロール２０の裏面側の塗料供給面２２を臨んでいる偏心ローラ８０を回転させると塗料供給面２２に供給した塗料を塗料供給面２２上にむらなく分散するよう調整することができる。すなわち偏心ローラ８０の偏心筒８２が塗料供給面２２を構成する塗装ベルト５０に当接し、塗装ベルト５０の移動に従動して適度に接触するので、適切に分散された塗料が塗装ベルト５０の移動により塗料供給面２２から表面側の塗装面２１に移動して塗装対象面Ｏ１に付着する。
【００３８】
塗装対象面Ｏ１は凹凸のない平面であり、そのような平面でも塗装をすることができ、塗装装置１０の特徴として、図１２（ｂ）に示す塗装対象面Ｏ２のように断続的に凹部があるような場合、図１２（ｃ）に示す塗装対象面Ｏ３のように波形に凹凸があるような場合でも、凹部には塗料が付着せず、凸部のみに塗料が付着するよう塗装することが出来る。
【図面の簡単な説明】
【００３９】
【図１】本発明の一の実施の形態に係る塗装装置を基体の側板を外して示した側面図である。
【図２】本発明の一の実施の形態に係る塗装装置を示す平面図である。
【図３】本発明の一の実施の形態に係る塗装装置を示す要部平面図である。
【図４】本発明の一の実施の形態に係る塗装装置を示す要部側面図である。
【図５】本発明の一の実施の形態に係る塗装装置を示す図４の反対側を示す要部側面図である。
【図６】本発明の一の実施の形態に係る塗装装置を示す要部正面図である。
【図７】本発明の一の実施の形態に係る塗装装置のベルトを掛け渡すローラを示す説明断面図である。
【図８】本発明の一の実施の形態に係る塗装装置の塗料導入管の先端部を示す説明断面図である。
【図９】本発明の一の実施の形態に係る塗装装置の支持アームの先端側を示す説明断面図である。
【図１０】本発明の一の実施の形態に係る塗装装置の姿勢調節バーの先端側を示す説明断面図である。
【図１１】本発明の一の実施の形態に係る塗装装置の偏心ローラを示す説明断面図である。
【図１２】本発明の一の実施の形態に係る塗装装置による塗装対象面を塗装する様子を示す説明図であり、（ａ）は塗装対象面が凹凸のない平坦面である場合、（ｂ）は塗装対象面がピッチの粗い凹凸のある平面である場合、（ｃ）は塗装対象面がピッチの細かい凹凸のある平面である場合を示している。
【符号の説明】
【００４０】
Ｏ１…塗装対象面
Ｏ２…塗装対象面
Ｏ３…塗装対象面
１０…塗装装置
１１…塗料タンク
１２…移送路
２０…塗装ロール
２１…塗装面
２２…塗料供給面
３０…基体
３１…側板
４０ａ…前ローラ
４０ｂ…後ローラ
４０ｃ…中間ローラ
４１…支軸
４２…枢支板
４３…ロール筒
５０…塗装ベルト
６０…塗料導入管
６１…内側ノズル管
６２…端末キャップ
６３…塗料吐出口
６５…外側ノズル管
６６…塗料供給口
６９…中間部
７０…支持アーム
７１…把手
７２…連結軸
７５…姿勢調節バー
７６…調節支軸
７７…枢支部材
８０…偏心ローラ
８１…支軸
８２…偏心筒
９０…調節バルブ
９１…調節レバー
【図１】
2008264712.tif 000003
【図２】
2008264712.tif 000004
【図３】
2008264712.tif 000005
【図４】
2008264712.tif 000006
【図５】
2008264712.tif 000007
【図６】
2008264712.tif 000008
【図７】
2008264712.tif 000009
【図８】
2008264712.tif 000010
【図９】
2008264712.tif 000011
【図１０】
2008264712.tif 000012
【図１１】
2008264712.tif 000013
【図１２】
2008264712.tif 000014